(57)【特許請求の範囲】
【請求項１】
遊技者の所有遊技価値情報に基づき遊技機による遊技を可能とする装置本体と、この装置本体の下部にて回動可能に支持される回動部材とを備える遊技用装置に隣接して配設されて、枠体及び扉の少なくとも一方を回動軸により前方へ開くように或いは後方へ閉じるように回動可能に支持する遊技機において、
前記枠体及び扉の少なくとも一方は、開くとき、前記回動部材と共に前方へ回動するように、前記回動軸にて、当該回動部材と回動可能にかつ同軸的に支持されていることを特徴とする遊技機。
【請求項２】
前記回動部材を前記回動軸と同軸的に回動可能に保持する回動保持手段を備えることを特徴とする請求項１に記載の遊技機。
【請求項３】
前記回動保持手段は、前記回動部材を前記回動軸と同軸的に回動可能に保持するように、前記回動部材との嵌め合い部を有することを特徴とする請求項２に記載の遊技機。
【発明の詳細な説明】
【技術分野】
【０００１】
本発明は、パチンコ遊技機等の遊技機に関する。
【背景技術】
【０００２】
従来、遊技機としては、表示装置を備える遊技用装置に対応して設置される遊技機がある。ここで、遊技用装置において、表示装置が、その姿勢にて、遊技機の前面に固定される固定姿勢と、遊技機の前面から離れた搖動姿勢との間で、変化可能となっている。
【先行技術文献】
【特許文献】
【０００３】
【特許文献１】特開２０１２−１７０７３２
【発明の概要】
【発明が解決しようとする課題】
【０００４】
しかしながら、表示装置は、その固定姿勢にあるとき、遊技機の前面に位置することから、遊技機の前扉を表示装置と接触しながら開こうとしても、表示装置の搖動軸が前扉の回動軸から離れているため、前扉が表示装置と干渉して、開きにくい。従って、前扉を開くにあたっては、表示装置を搖動姿勢にした上で、前扉を開くことになり、作業性が極めてよくない。
【０００５】
そこで、本発明は、以上のようなことに対処するため、枠体及び扉の少なくとも一方を前方へ開く際に、枠体及び扉の少なくとも一方が回動部材とともに円滑に開き得るように工夫を凝らしてなる遊技機を提供することを目的とする。
【課題を解決するための手段】
【０００６】
上記課題の解決にあたり、本発明に係る遊技機は、請求項１の記載によれば、
遊技者の所有遊技価値情報に基づき遊技機（１００）による遊技を可能とする装置本体（２００ａ）と、この装置本体の下部にて回動可能に支持される回動部材（２０ｂ）とを備える遊技用装置（２００）に隣接して配設されて、枠体（１２０）及び扉（１００ｃ）の少なくとも一方を回動軸により前方へ開くように或いは後方へ閉じるように回動可能に支持するものである。
【０００７】
当該遊技機において、枠体及び扉の少なくとも一方は、開くとき、回動部材と共に前方へ回動するように、上記回動軸にて、当該回動部材と回動可能にかつ同軸的に支持されていることを特徴とする。
【０００８】
これによれば、枠体及び扉の少なくとも一方は、開くとき、回動部材と共に前方へ回動するように、回動軸にて、当該回動部材と回動可能にかつ同軸的に支持されている。このことは、枠体及び扉の少なくとも一方が、その回動軸にて、回動部材の回動軸から離れて位置することなく、当該回動部材の回動軸と同軸的に位置することを意味する。
【０００９】
従って、枠体及び扉の少なくとも一方が回動部材に沿うように位置している状態で当該枠体及び扉の少なくとも一方を開くとき、当該枠体及び扉の少なくとも一方は、回動部材と干渉し合うことなく当該回動部材とともに前方へ円滑に回動するので、当該枠体及び扉の少なくとも一方を、回動部材により干渉されることなく、円滑に開くことができる。その結果、遊技機のメンテナンス、例えば、枠体に組み付けた遊技盤の調整や交換等の作業が、その作業性において良好に改善されて、円滑に行われ得る。
【００１０】
また、本発明は、請求項２の記載によれば、請求項１に記載の遊技機において、
回動部材を上記回動軸と同軸的に回動可能に保持する回動保持手段（１１２、１１３、２３２）を備えることを特徴とする。
【００１１】
これによれば、回動保持手段が回動部材を回動軸と同軸的に回動可能に保持するので、回動部材が安定的に回動し得る。従って、枠体及び扉の少なくとも一方の回動部材と共の回動を円滑に確保することができ、その結果、請求項１に記載の発明をより一層向上し得る。
【００１２】
また、本発明は、請求項３の記載によれば、請求項２に記載の遊技機において、
回動保持手段は、回動部材を上記回動軸と同軸的に回動可能に保持するように、前記回動部材との嵌め合い部（１１２ａ、１１３ａ）を有することを特徴とする。
【００１３】
これにより、請求項２に記載の発明の作用効果がより一層確実に達成され得る。
【発明の効果】
【００１４】
本発明によれば、枠体及び扉の少なくとも一方は、回動部材と干渉し合うことなく、当該回動部材とともに円滑に開くことができる。その結果、遊技機のメンテナンス、例えば、枠体に組み付けた遊技盤の調整や交換等の作業を円滑に行うことができる。
【００１５】
なお、上記各手段の括弧内の符号は、後述する実施形態に記載の具体的手段との対応関係を示す。
【図面の簡単な説明】
【００１６】
【図１】本発明を適用してなる遊技設備の一実施形態を示す斜視図である。
【図２】図１の遊技設備を示す他の斜視図である。
【図３】図１の遊技設備を示す平面図である。
【図４】図１の遊技設備を示す分解斜視図である。
【図５】図４の機枠を示す拡大斜視図である。
【図６】図１の遊技設備を、遊技機の前扉を開くとともに回動部材の他側回動部を回動させた状態で示す斜視図である。
【図７】図４の遊技機本体の本体枠を示す拡大斜視図である。
【図８】図１の遊技設備をその後方からみた斜視図である。
【図９】図４の回動部材を示す拡大斜視図である。
【図１０】図４の回動部材を示す平面図である。
【図１１】図１０の回動部材を、他側回動部にて回動した状態で示す平面図である。
【図１２】図１０の回動部材を示す斜視図である。
【図１３】図１０の回動部材を、一側及び他側の回動部の双方を回動した状態で示す平面図である。
【発明を実施するための形態】
【００１７】
以下、本発明の一実施形態を図面により説明する。図１は、本発明を遊技機設備Ａに適用してなる一実施形態を示している。遊技機設備Ａは、パチンコホール内の島設備に立設されるものである。なお、図１において、図示左側斜め後方、右側斜め前方、上側及び下側が、それぞれ、当該遊技機設備Ａの左側、右側、上側及び下側に対応する。
【００１８】
当該遊技機設備Ａは、図１〜図４にて示すごとく、封入式パチンコ遊技機１００と、球貸し処理装置２００とにより構成されている。パチンコ遊技機１００は、球貸し処理装置２００と共に、上記島設備の設置台上に配置されるようになっている。ここで、球貸し処理装置２００は、パチンコ遊技機１００にその左側にて沿うように上記設置台上に配置されるようになっている。
【００１９】
パチンコ遊技機１００は、図１〜図４のいずれかにて示すごとく、機枠１００ａ、遊技機本体１００ｂ及び前扉１００ｃを備えている。機枠１００ａは、外枠ともいわれるもので、この機枠１００ａは、島設備の設置台上に立設されるようになっている。当該機枠１００ａは、図４或いは図５にて例示するごとく、左右両側枠板１１０ａ、１１０ｂ及び上下両側枠板１１０ｃ、１１０ｄでもって、矩形状に構成されている。
【００２０】
また、当該機枠１００ａは、上側ヒンジ１１１、下側ヒンジ１１２及び中側ヒンジ１１３を備えており、これら上側、下側及び中側のヒンジ１１１〜１１３は、共に、金属板でもって形成されている。
【００２１】
上側ヒンジ１１１は、後述のごとく、下側ヒンジ１１２と共に、遊技機本体１００ｂの左縁部を支持し、かつ、中側ヒンジ１１３と共に、前扉１００ｃの左縁部を支持する役割を果たす。当該上側ヒンジ１１１は、その幅方向において、機枠１００ａの上側枠板１１０ｃの長手方向に沿うように位置して、上側枠板１１０ｃの左端部から前方へ延出している。
【００２２】
ここで、上側ヒンジ１１１は、その基端部にて、上側枠板１１０ｃの左端切り欠き部内に配設されており、当該上側ヒンジ１１１の基端部は、その左縁部にて、上側枠板１１０ｃの左端切り欠き部内上面と左側枠板１１０ａの上端面との間に挟持されている。しかして、当該上側ヒンジ１１１は、その基端部から前方へ延出している。なお、上側枠板１１０ｃの左端切り欠き部は、上側枠板１１０ｃの左端部をその下側から上方へＬ字状に切り欠くことで形成されている。
【００２３】
下側ヒンジ１１２は、その幅方向において、機枠１００ａの下側枠板１１０ｄの長手方向に沿うように位置して、下側枠板１１０ｄの左端部から前方へ延出している。ここで、下側ヒンジ１１２は、その基端部の左縁部にて、下側枠板１１０ｄの左端部と左側枠板１１０ａの下端部との間に挟持されており、当該下側ヒンジ１１２は、その基端部から上側ヒンジ１１１に平行に対向するように前方へ延出している。
【００２４】
また、中側ヒンジ１１３は、前扉１００ｃの左縁下端部に対応する位置にて、機枠１００ａの左側枠板１１０ａの長手方向中間部位から上下両側ヒンジ１１１、１１２の間にてこれらヒンジ１１１、１１２に平行となるように延出している。
【００２５】
ここで、当該中側ヒンジ１１３は、その基端部の左縁部にて、左側枠板１１０ａの長手方向中間部位に形成した溝部に嵌着されており、当該中側ヒンジ１１３は、その基端部から前方へ延出している。これにより、中側ヒンジ１１３は、上側ヒンジ１１１の直下に位置し、かつ下側ヒンジ１１２の直上に位置している。なお。左側枠板１１０ａの上記溝部は、当該左側枠板１１０ａの上記長手方向中間部位をその右側からコ字状に切り欠くことで形成されている。
【００２６】
遊技機本体１００ｂは、図４或いは図６にて例示するごとく、本体枠１２０及び遊技盤１３０を備えている。本体枠１２０は、中枠或いは内枠ともいわれるもので、当該本体枠１２０は、図６或いは図７にて示すごとく、機枠１００ａ内に前後方向に開閉可能に組み付けられている。
【００２７】
当該本体枠１２０は、図４或いは図７にて示すごとく、左右両側枠板１２０ａ、１２０ｂ、上下両側枠板１２０ｃ、１２０ｄ及び背板１２０ｅを備えており、左側枠板１２０ａ、右側枠板１２０ｂ、上側枠板１２０ｃ及び下側枠板１２０ｄは、図５にて示すごとく、互いに矩形枠状に組み付けられている。
【００２８】
背板１２０ｅは、左側枠板１２０ａ、右側枠板１２０ｂ、上側枠板１２０ｃ及び下側枠板１２０ｄの間の中空部内に組み付けられており、背板１２０ｅは、その板厚方向にて、左側枠板１２０ａ、右側枠板１２０ｂ、上側枠板１２０ｃ及び下側枠板１２０ｄの各幅方向に沿うように、左側枠板１２０ａ、右側枠板１２０ｂ、上側枠板１２０ｃ及び下側枠板１２０ｄの各後縁部に嵌装されることで、左側枠板１２０ａ、右側枠板１２０ｂ、上側枠板１２０ｃ及び下側枠板１２０ｄに組み付けられている。なお、当該背板１２０ｅの中間部位には、矩形状開口部が形成されている（図７参照）。
【００２９】
また、当該本体枠１２０は、上側ヒンジ１２１及び下側ヒンジ１２２を備えており、上側ヒンジ１２１は、その幅方向において、本体枠１２０の上側枠板１２０ｃの長手方向に沿うように位置して、上側枠板１２０ｃの左縁部から前方へ延出している。ここで、当該上側ヒンジ１２１は、その基端部にて、上側枠板１２０ｃの左端部上に取り付けられており、この上側ヒンジ１２１は、その基端部から、機枠１１０ａの上側ヒンジ１１１にその直下から沿うように、前方へ延出して、機枠１１０ａの上側ヒンジ１１１にその直下から対向可能となっている。
【００３０】
下側ヒンジ１２２は、その幅方向において、本体枠１２０の下側枠板１２０ｄの長手方向に沿うように位置して、下側枠板１２０ｄの左縁下端部から前方へ延出している。ここで、当該下側ヒンジ１２２は、その基端部にて、下側枠板１２０ｄの左縁下端部にその下面側から取り付けられており、当該下側ヒンジ１２２は、その基端部から前方へ延出して、上側ヒンジ１２１に平行に対向しかつ機枠１３０ａの下側ヒンジ１１２にその直上から沿うように位置している。
【００３１】
しかして、このように構成した本体枠１２０は、機枠１００ａに対し次のようにして組み付ける。
【００３２】
即ち、本体枠１２０は、その左側枠板１２０ａ、右側枠板１２０ｂ、上側枠板１２０ｃ及び下側枠板１２０ｄの各外面にて、それぞれ、機枠１００ａの左側枠板１１０ａ、右側枠板１１０ｂ、上側枠板１１０ｃ及び下側枠板１１０ｄの各内面に沿うように、機枠１００ａ内に嵌装される。
【００３３】
これに伴い、本体枠１２０の上側ヒンジ１２１が、その上面にて、機枠１００ａの上側ヒンジ１３１の下面に沿い重畳されるように位置し、一方、本体枠１２０の下側ヒンジ１２２が、その下面にて、機枠１００ａの下側ヒンジ１１２の上面に沿い重畳されるように位置する。
【００３４】
このような状態にて、本体枠１２０の上側ヒンジ１２１が、後述のごとく、機枠１００ａの上側ヒンジ１１１に前後方向に回動可能に支持されるとともに、本体枠１２０の下側ヒンジ１２２が、後述のごとく、機枠１００ａの下側ヒンジ１１２に前後方向に回動可能に支持される。このことは、本体枠１２０は、その左側枠板１２０ａにて、機枠１００ａの左側枠板１１０ａに対し前後方向に開閉可能にヒンジ連結されることを意味する。
【００３５】
しかして、このように機枠１００ａに組み付けられた本体枠１２０は、その閉状態では、機枠１００ａ内に位置している。また、当該本体枠１２０を開くときには、当該本体枠１２０は、その左側枠板１２０ａを基準として、機枠１００ａの内部から前方へ回動する。なお、本体枠１２０の下側枠板１２０ｄの左縁部のうち、機枠１００ａの中側ヒンジ１１３に対する対応部位には、切り欠き部１２４が形成されている。これにより、本体枠１２０を機枠１００ａに対し閉じたとき、中側ヒンジ１１３が、切り欠き部１２４に挿通されて、本体枠１２０と干渉しないようになっている。
【００３６】
遊技盤１３０は、本体枠１２０の内部、即ち、左側枠板１２０ａ、右側枠板１２０ｂ、上側枠板１２０ｃ及び下側枠板１２０で構成される中空部内にその前面側から嵌装されて背板１２０ｅに沿い組み付けられており、当該遊技盤１３０は、その盤面１３１にて、前方を臨んでいる。
【００３７】
また、遊技機本体１００ｂは、図４或いは図６にて示すごとく、案内レール１３２、環状の装飾構造体１３３、液晶表示装置１３４、始動入賞口装置１３５や大入賞口装置１３６等の各種入賞口装置及び図示しない電動チューリップ、ゲート、風車その他の各盤面部品を備えている。
【００３８】
案内レール１３２は、遊技盤１３０の盤面１３１に組み付けられており、当該案内レール１３２は、その内周側にて、盤面１３１上に遊技領域１３１ａを構成する。なお、案内レール１３２の最下端部の直上には、アウト口１３１ｂ（排出口１３１ｂ）が形成されている。このアウト口１３１ｂは、遊技盤１３０の盤面１３１に沿い転動して案内レール１３２の最下端部に達する遊技球を遊技盤１３０の後側へ排出する。また、アウト口１３１ｂを通り排出される遊技球は、アウト口１３１ｂ内に設けた排出センサ（図示しない）により検出される。
【００３９】
環状の装飾構造体１３３は、遊技盤１３０の開口部（図示しない）にその外周部に沿い前面側から組み付けられている。液晶表示装置１３４は、装飾構造体１３３の内側にて、遊技盤１３０の上記開口部に本体枠１２０の矩形状開口部を介し嵌装して組み付けられている。
【００４０】
始動入賞口装置１３５及び大入賞口装置１３６は、装飾構造体１３３の直下にて、遊技盤１３０の盤面１３１に組み付けられている。上記電動チューリップ、ゲート、風車は、遊技盤１３０の盤面１３１に分散して組み付けられている。
【００４１】
また、遊技機本体１００ｂは、図８にて示すごとく、遊技制御装置１４０（主基板及び副基板からなる）を備えており、この遊技制御装置１４０は、遊技盤１３０の背面に本体枠１２０の背板１２０ｅの上記開口部を介し組み付けられている。なお、遊技盤１３０の盤面１３１には、その遊技領域１３１ａに亘り、多数の遊技釘（図示しない）が、分散して打ち込まれている。
【００４２】
しかして、当該遊技制御装置１４０は、マイクロコンピュータからなるもので、このマイクロコンピュータである遊技制御装置１４０は、図示しないフローチャートに従い遊技処理プログラムを実行する。なお、上記遊技処理プログラムは、遊技制御装置１４０の記憶素子であるＲＯＭに予め読み出し可能に記憶されている。
【００４３】
また、遊技機本体１００ｂは、図１〜図４、図６及び図７のいずれかにて示すごとく、ハンドル１５０を備えており、このハンドル１５０は、本体枠１２０の下側枠板１２０ｄの右下隅角部にその前面側から左右方向に回動操作可能に支持されている。当該ハンドル１５０は、球発射制御機構である球発射制御基板１５０ｂ（図８参照）と共に、球発射装置を構成するもので、当該球発射制御基板１５０ｂは、本体枠１２０の下側枠板１２０ｄの右下隅角部にその背面側から組み付けられている。
【００４４】
しかして、上記球発射装置によれば、上記球発射制御基板１５０ｂは、ハンドル１５０の回動操作に伴い、受け皿（図示しない）から供給される遊技球を、案内レール１３２を介し遊技盤１３０の盤面１３１の遊技領域１３１ａに向けて発射するように構成されている。なお、上記受け皿は、遊技機本体１００ｂ内にて遊技者の視認可能な位置に設けられている。
【００４５】
前扉１００ｃは、前枠ともいわれるもので、当該前扉１００ｃは、図１〜図３及び図６のいずれかにて示すごとく、遊技盤本体１００ｂ及び機枠１００ａに対し前後方向に開閉可能に支持されている。
【００４６】
当該前扉１００ｃは、窓枠１６０及びガラス板１７０を備えている。窓枠１６０は、その左縁上下両側端部にて、本体枠１２０の上側ヒンジ１２１及び下側ヒンジ１２２の間に挿入されて、本体枠１２０及び機枠１００ａの各上側ヒンジ１２１、１１１及び本体枠１２０の切り欠き部１２４を介し前方へ延出する機枠１００ａの中側ヒンジ１１３にそれぞれ前後方向に回動可能に支持されている。このことは、前扉１００ｃが、その左縁部にて、本体枠１２０及び機枠１００ａの各左縁部に前後方向に開閉可能にヒンジ連結されていることを意味する。
【００４７】
ここで、窓枠１６０の左縁上側端部の各上側ヒンジ１２１、１１１に対する回動可能な支持及び窓枠１６０の左縁下側端部の中側ヒンジ１１３に対する回動可能な支持は、次のようにしてなされている。
【００４８】
上述のように窓枠１６０が、その左縁上下両側端部にて、本体枠１２０の上側ヒンジ１２１及び下側ヒンジ１２２の間に挿入されることで、窓枠１６０の左縁上側端部は、本体枠１２０の上側ヒンジ１２１にその直下から重畳されるとともに、窓枠１６０の左縁下側端部は、機枠１００ａの中側ヒンジ１１３にその直上から重畳される。
【００４９】
換言すれば、機枠１００ａの上側ヒンジ１１１が本体枠１２０の上側ヒンジ１２１の直上から当該上側ヒンジ１２１を介し窓枠１６０の左縁上側端部上に重畳されるとともに、機枠１００ａの中側ヒンジ１１３が、窓枠１６０の左縁下側端部にその直下から重畳される。
【００５０】
然る後、ピン状上側軸（図示しない）が、機枠１００ａの上側ヒンジ１１１及び本体枠１２０の上側ヒンジ１２１に形成した各貫通孔部１１１ａ、１２１ａに挿通されて窓枠１６０の左縁上側端部に支持される。また、ピン状下側軸（図示しない）が、機枠１００ａの中側ヒンジ１１３に形成した貫通孔部１１３ａに挿通されて窓枠１６０の左縁下側端部に支持される。
【００５１】
これにより、窓枠１６０は、上記ピン状上下両側軸を基準として、本体枠１２０に対し回動可能に支持され、かつ機枠１００ａに対し回動可能に支持される。なお、ガラス板１７０は、窓枠１６０の中空部に嵌装されて、遊技盤１３０を透視可能にしている。また、前扉１００ｃは、窓枠１６０の右端部にて、施錠機構（図示しない）により、本体枠１２０の右端部に施錠可能となっている。
【００５２】
球貸し処理装置２００は、図１〜図４、図６及び図９のいずれかにて示すごとく、パチンコ遊技機１００の左側にてこのパチンコ遊技機１００に沿い付設されている。
【００５３】
当該球貸し処理装置２００は、遊技価値記録媒体処理装置或いはカードユジットといわれるものであって、この球貸し処理装置２００は、図９〜図１３のいずれかにて示すごとく、装置本体２００ａと、操作表示回動部材２００ｂとにより構成されている。
【００５４】
装置本体２００ａは、その前部にて、パチンコ遊技機１００の前扉１００ｃの左縁前部に左右に並んで隣接するように、パチンコ遊技機１００に付設されている。この装置本体２００ａは、両挿入部２１０ａ、２１０ｂを有しており、当該両挿入部２１０ａ、２１０ｂは、装置本体２００ａの前方へ開口するように当該装置本体２００ａにその前部側から形成されている。本実施形態において、挿入部２１０ａは、プリペイドカードであるＩＣカードを挿入するためのものであり、一方、挿入部２１０ｂは、現金を挿入するためのものである。
【００５５】
また、当該装置本体２００ａは、図８にて示すごとく、処理制御装置である処理制御基板２２０を内蔵している。当該処理制御基板２２０は、マイクロコンピュータを有しており、このマイクロコンピュータは、図示しないフローチャートに従いカード処理プログラムを実行する。なお、上記カード処理プログラムは、処理制御装基板２２０のマイクロコンピュータの記憶素子であるＲＯＭに予め読み出し可能に記憶されている。
【００５６】
操作表示回動部材２００ｂは、本体枠１２０の下側枠板１２０ｄ或いは装置本体２００ａの前側切り欠き部２１１（図２参照）及び本体枠１２０の下側枠板１２０ｄ（図４或いは図７参照）の双方を開放可能とするように、構成されている。なお、装置本体２００ａの前側切り欠き部２１１は、当該装置本体２００ａの前側下部を後方へコ字状に切り欠くことで形成されている（図２参照）。
【００５７】
当該操作表示回動部材２００ｂは、図４及び図１０〜図１３のいずれかにて示すごとく、一側及び他側の回動部２３０、２４０及びタッチパネル部２５０を備えている。一側回動部２３０は、その回動基端部にて、基軸２３１（図１０、図１１及び図１３参照）により、装置本体２００ａの前側切り欠き部２１１の左側部位内にて前後方向に回動可能に支持されており、当該一側回動部２３０は、その回動基端部から他側回動部２４０側へ延出している。
【００５８】
ここで、基軸２３１は、装置本体２００ａの前側切り欠き部２１１の左側部位内にて左右方向に回動可能となるように支持されている。なお、当該一側回動部２３０のその回動基端部からの延出長さは、装置本体２００ａの前側下部の左右方向幅に対応する。
【００５９】
他側回動部２４０は、その回動基端部にて、中間軸２３２（図９〜図１３参照）を介し一側回動部２３０の延出端部に前後方向に相対回動可能となるように連結されており、当該他側回動部２４０は、その回動基端部から延出している。
【００６０】
ここで、当該他側回動部２４０は、本体枠１２０の下側枠板１２０ｄのうちハンドル１５０に対する対応部位を除くように、Ｌ字状に形成されている。また、他側回動部２４０は、機枠１００ａの中側ヒンジ１１３と本体枠１２０の下側ヒンジ１２２との間の間隔に対応する上下方向幅を有する。本実施形態では、中間軸２３２は、その軸方向両側端部にて、一側回動部２３０の延出端部に設けたコ字状フランジ２３２ａの上下両側腕部に形成した各貫通孔部内に回動可能に支持されている。
【００６１】
このように構成した操作表示回動部材２００ｂによれば、一側回動部２３０が装置本体２００ａの前側下部を前側切り欠き部２１１にてその前面側から閉じるとともに、他側回動部２４０が本体枠１２０の下側枠板１２０ｄをその前面側から閉じている状態にあるとき、他側回動部２４０の回動基端部は、機枠１００ａの中側ヒンジ１１３と本体枠１２０の下側ヒンジ１２２との間に嵌まり込むとともに、中間軸２３２が、その軸方向上側端部にて、機枠１００ａの中側ヒンジ１１３の貫通孔部１１３ａに係脱可能に支持され、かつ、軸方向下側端部にて、本体枠１２０の下側ヒンジ１２２の貫通孔部１２２ａ及び機枠１００ａの下側ヒンジ１１２の貫通孔部１１２ａに係脱可能に支持されている。
【００６２】
このことは、操作表示回動部材２００ｂにおいて、他側回動部２４０が、中間軸２３２にて、遊技機本体１００ｂ及び前扉１００ｃと同軸的にかつ回動可能に支持されることを意味する。
【００６３】
ここで、上述のような中間軸２３２の軸方向上下両側端部の中側ヒンジ１１３の貫通孔部１１３ａ及び下側ヒンジ１２２、１１２の各貫通孔部１２２ａ、１１２ａに対する係脱可能な支持は、次のような構成のもとになされる。
【００６４】
円筒状上側キャップ部（図示しない）が一側コイルスプリング（図示しない）を介し中間軸２３２の軸方向上側端部に同軸的に変位可能に嵌装されており、一方、円筒状下側キャップ部（図示しない）が他側コイルスプリング（図示しない）を介し中間軸２３２の軸方向下側端部に同軸的に変位可能に嵌装されている。
【００６５】
しかして、上記上側キャップ部が、上記一側コイルスプリングに抗して中間軸２３２の軸方向上側端部に向けて同軸的に押動されて下方へ変位することで、機枠１００ａの中側ヒンジ１１３の貫通孔部１１３ａ内にその直下から係脱可能となり、また、上記下側キャップ部が、上記他側コイルスプリングに抗して中間軸２３２の軸方向下側端部に向けて同軸的に押動されて上方へ変位することで、下側ヒンジ１２２、１１２の各貫通孔部１２２ａ、１１２ａ内にその直上から係脱可能となる。
【００６６】
このような構成のもと、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させた状態にする。
【００６７】
然る後、他側回動部２４０をその回動基端部にて上記上下両側キャップ部と共に機枠１００ａの中側ヒンジ１１３の貫通孔部１１３ａと本体枠１２０の下側ヒンジ１２２の貫通孔部１２２ａとの間に挿入しつつ上述した上下両側キャップ部に対する押動を解除する。
【００６８】
これに伴い、当該上下両側キャップ部が、上記一側及び他側のコイルスプリングの作用のもとに、貫通孔部１１３ａ及び両貫通孔部１２２ａ、１１２ａを通り上下方向に向けて変位して原位置に復帰する。すると、中間軸２３２が、その軸方向上側端部にて、上記上側キャップ部を介し機枠１００ａの中側ヒンジ１１３の貫通孔軸１１３ａに係脱可能に支持され、かつ、軸方向下側端部にて、上記下側キャップ部を介し本体枠１２０の下側ヒンジ１１２の貫通孔部１１２ａ及び機枠１００ａの下側ヒンジ１１２の貫通孔部１１２ａに係脱可能に支持される。
【００６９】
また、このような状態にて、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させつつ、他側回動部２４０をその回動基端部にて機枠１００ａの中側ヒンジ１１３と本体枠１２０の下側ヒンジ１２２との間から解放する。
【００７０】
これに伴い、中間軸２３２が、その軸方向上側端部にて、上記上側キャップ部と共に、機枠１００ａの中側ヒンジ１１３の貫通孔軸１１３ａから脱出し、かつ、軸方向下側端部にて、上記下側キャップ部と共に、本体枠１２０の下側ヒンジ１２２の貫通孔部１２２ａ及び機枠１００ａの下側ヒンジ１１２の貫通孔部１１２ａから脱出する。このことは、操作表示回動部材２００ｂが、回動部２４０にて、中間軸２３２を介する遊技機本体１００ｂとの支持を解除されることを意味する。
【００７１】
タッチパネル部２５０は、図１〜図３、図９及び図１１〜図１３のいずれかにて示すごとく、他側回動部２４０の収容部２４１の開口部２４１ａ内に嵌装されており、当該タッチパネル部２５０は、操作部及び表示部としての役割を果たす。
【００７２】
ここで、収容部２４１は、他側回動部２４０の中間部位から前方へ箱状に突出形成されており、当該収容部２４１の開口部２４１ａは、前側上方へ傾斜状に対向している。これに伴い、タッチパネル部２５０は、その表示面にて、開口部２４１ａ内にて前側上方へ傾斜状に対向する。
【００７３】
これにより、タッチパネル部２５０は、パチンコ遊技機１０の前側にて椅子（図示しない）に着座した遊技者により視認され易くかつ操作され易い位置に維持される。また、当該タッチパネル部２５０は、処理制御装置２２０（図８参照）からの表示データを表示し、或いは、操作出力を遊技制御装置１４０（図８参照）に出力するようになっている。
【００７４】
ここで、当該タッチパネル部２５０は、パチンコ遊技機１００による遊技を終了するとき押動操作される遊技終了ボタン部（図示しない）及び球貸し処理装置２００の挿入部２１０ａに挿入済みのＩＣカードを当該挿入部２１０ａから排出するとき押動操作されるカード排出ボタン部（図示しない）を有する。なお、回動部材２００ｂは、他側回動部２４０の延出端部にて、本体枠１２０の下側枠板１２０ｄの右端部に図示しない他の施錠機構（図示しない）により施錠可能となっている。
【００７５】
以上のように構成した本実施形態において、球貸し処理装置２００が、図１〜図３、図９及び図１０にて示す位置にあるものとする。
【００７６】
このとき、操作表示回動部材２００ｂは、装置本体２００ａに対し直角に位置するように、当該装置本体２００ａの前側切り欠き部２１１から右方へ延出している。これにより、当該操作表示回動部材２００ｂは、装置本体２００ａの前側切り欠き部２１１及び遊技機本体１００ｂの本体枠１２０の前側下部（下側枠板１２０ｄ）にその前側から沿うように位置している。
【００７７】
このような状態にあっては、操作表示回動部材２００ｂの一側回動部２３０が、装置本体２００ａの前側切り欠き部２１１内に位置して閉じた状態にある。また、他側回動部２４０が、本体枠１２０の前側下部に沿うように位置して閉じた状態にある。
【００７８】
このとき、上記上側キャップ部が、上記一側コイルスプリングに抗して機枠１１０ｂの中側ヒンジ１１３の貫通孔部１１３ａ内にその下方から係合するともに、上記下側キャップ部が、上記他側コイルスプリングに抗して本体枠１２０の下側ヒンジ１２２の貫通孔部１２２ａを介し機枠１１０ｂの下側ヒンジ１１２の貫通孔部１１２ａ内にその上方から係合している。
【００７９】
このことは、上下両側キャップ部、一側及び他側のコイルスプリング、中側ヒンジ１１３の貫通孔部１１３ａ、下側ヒンジ１２２の貫通孔部１２２ａ、下側ヒンジ１１２の貫通孔部１１２ａ、中間軸２３２の軸方向上下両側端部が、中間軸２３２に対する保持手段としての役割を果たす。
【００８０】
これにより、一側回動部２３０は、機枠１１０ｂの中側ヒンジ１１３と本体枠１２０の下側ヒンジ１２２との間において、上記上下両側キャップ部を介し、中間軸２３２でもって、本体枠１２０及び前枠１６０の各回動軸と同軸的に支持されて、装置本体２００ａの前側切り欠き部２１１内に回動不能に維持されている。
【００８１】
このような状態において、例えば、遊技盤１３０の調整等のメンテナンス作業や遊技盤１３０の交換時期の到来により当該遊技盤１３０の交換作業が要請される場合には、遊技機本体１００ｂを前扉１００ｃとともに開くにあたり、上記施錠機構による前扉１００ｃの本体枠１２０に対する施錠を解除するとともに、上記他の施錠機構による回動部材２００ｂの本体枠１２０に対する施錠を解除する。これに伴い、回動部材２００の他側回動部２００ｂは、中間軸２３２を基準に回動可能となる。
【００８２】
然る後、本体枠１２０（遊技機本体１００ｂ）をその回動軸を基準にして前方へ回動させると、前扉１００ｃがその回動軸を基準に本体枠１２０とともに前方へ同軸的に回動するとともに、回動部材２００の他側回動部２４０が、中間軸２３２を軸として、本体枠１２０とともに前方へ同軸的に回動する。
【００８３】
このような過程においては、前扉１００ｃ及び他側回動部２４０が、本体枠１２０の前方への回動に従い当該本体枠１２０により前方へ押し出されるようにして回動する。このことは、他側回動部２４０が、本体枠１２０の前方への回動に伴い、前扉１００ｃとともに前方へ回動することを意味する。
【００８４】
ここで、回動部材２００ｂが、その中間軸２３２にて、上述のごとく、本体枠１２０及び前枠１６０の各回動軸と同軸的に支持されている。このため、回動部材２００ｂの中間軸２３２が、本体枠１２０及び前枠１６０の各回動軸から離れて位置することなく、当該各回動軸と同軸的に位置する。
【００８５】
従って、他側回動部２４０は、本体枠１２０や前扉１００ｃに対し干渉することなく、前方へ円滑に回動する。換言すれば、遊技機本体１００ｂは、回動部材２００ｂの他側回動部２４０により干渉されることなく、前扉１００ｃとともに、前方へ円滑に回動して開く。その結果、本体枠１２０に組み付けた遊技盤１３０の調整等のメンテナンス作業や交換作業が、その作業性において良好に改善されて、円滑にかつ良好になされ得る。
【００８６】
また、このようなメンテナンス作業や交換作業を行うにあたっては、回動部材２００ｂの一側回動部２３０を、上述のごとく、装置本体２００ａの前側切り欠き部２１１内に維持した状態で、他側回動部２４０のみを中間軸２３２を軸として回動させればよく、一側回動部２３０まで回動させる必要がない。
【００８７】
このため、上述のような遊技盤１３０のメンテナンス作業や交換作業を行うにあたっては、回動部材２００ｂのうち本体枠１２０の前側下部、即ち下側枠板１２０ｄに対応する他側回動部２４０のみを回動させれば十分である。その結果、回動部材２００ｂの回動領域及び回動部位を必要最小限に抑制することができる。
【００８８】
また、上述のような遊技盤１３０のメンテナンス作業や交換作業が終了した後は、本体枠１２０及び前扉１００ｃを閉じるとともに、回動部材２００ｂの他側回動部２４０を本体枠１２０の下側枠板１２０に向けて回動して閉じる。然る後、上記施錠機構により、前扉１００ｃを本体枠１２０に施錠するとともに、上記他の施錠機構により、回動部材２００ｂの他側回動部２４０を本体枠１２０に施錠する。これにより、回動部材２００ｂは、図１〜図３にて示す状態に復帰する。
【００８９】
このような状態において、遊技者が遊技台設備Ａの遊技機１００による遊技を行い、この遊技中において、回動部材２００ｂのタッチパネル部２５０が、遊技制御装置１４０による制御のもとに、遊技者の遊技に起因して生ずる遊技情報を表示すれば、当該タッチパネル部２５０は、遊技者の正面に位置しているため、遊技者はタッチパネル部２５０の表示遊技情報を視認し易く、容易に視認することができる。
【００９０】
従って、遊技者はタッチパネル部２５０の表示遊技情報に基づき必要な遊技処理を良好に行うことができる。その結果、遊技者のタッチパネル部２５０に対する視認環境を見易い良好な視認環境として確保しつつ、上述した種々の作用効果を達成することができる。
【００９１】
また、上述のように遊技者が遊技台設備Ａの遊技機１００による遊技を行っている間に、例えば、上述のようなタッチパネル部２５０の表示遊技情報に基づきタッチパネル部２５０の操作が必要となった場合には、当該タッチパネル部２５０は、上述のように遊技者の正面に位置しているため、遊技者はタッチパネル部２５０を操作し易く、容易に必要な操作をすることができる。
【００９２】
従って、遊技者のタッチパネル部２５０に対する操作環境を操作し易い良好な操作環境として確保しつつ、上述した種々の作用効果を達成することができる。
【００９３】
また、上述した遊技盤１３０のメンテナンス作業や交換作業ではなく、遊技機設備Ａにおいて、球貸し処理装置２００或いは遊技機１００を外す必要が生じた場合には、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させる。
【００９４】
これに伴い、中間軸２３２を、その軸方向上側端部にて、機枠１００ａの中側ヒンジ１１３の貫通孔部１１３ａから脱出させ、かつ、軸方向下側端部にて、本体枠１２０の下側ヒンジ１２２の貫通孔部１２２ａ及び機枠１００ａの下側ヒンジ１１２の貫通孔部１１２ａから脱出させる。このことは、操作表示回動部材２００ｂが、一側回動部２３０にて、中間軸２３２を介する遊技機本体１００ｂとの支持から解除されることを意味する。このため、回動部材２００ｂは、他側回動部２４０だけでなく一側回動部２３０も、回動可能となる。
【００９５】
このような段階にて、回動部材２００を、一側回動部２３０にて、基軸２３１を軸として本体枠１２０の前側切り欠き部２１１から離れる方向に回動させる。これにより、一側回動部２３０が、機枠１００ａの中側ヒンジ１１３と本体枠１２０の下側ヒンジ１２２との間から解放されて、他側回動部２４０とともに開く。これに伴い、装置本体２００ａが、回動部材２００ｂとともに、遊技機１００と分離可能となる。
【００９６】
従って、このような状態にて、装置本体２００ａを、回動部材２００ｂとともに、上記島設備の設置台から取り外して遊技機１００と分離すれば、装置本体２００ａのメンテナンス作業や交換作業が容易に行える。また、遊技機１００も同様にメンテナンス作業や交換作業が容易に行える。
【００９７】
なお、本発明の実施にあたり、上記実施形態に限ることなく、次のような種々の変形例が挙げられる。
【００９８】
（１）本発明の実施にあたり、前扉１００ｃは、上記実施形態とは異なり、本体枠１２０の前面の全体に亘り対応するように構成されていてもよい。
【００９９】
（２）本発明の実施にあたり、回動部材２００ｂは、上記実施形態とは異なり、中間軸２３２及び他側回動部２４０のみでもって構成してもよい。
【符号の説明】
【０１００】
１００…遊技機、１００ｃ…前扉、１１１、１２１…上側ヒンジ、
１１２、１２２…下側ヒンジ、１１２ａ、１１３ａ…貫通孔部、
１１３…中側ヒンジ、１２０…本体枠、２００…球貸し処理装置、
２００ａ…装置本体、２００ｂ…回動部材、２３０…一側回動部、
２３１…基軸、２３２…中間軸、２４０…他側回動部。
【図１】
0005575204.tif 000002
【図２】
0005575204.tif 000003
【図３】
0005575204.tif 000004
【図４】
0005575204.tif 000005
【図５】
0005575204.tif 000006
【図６】
0005575204.tif 000007
【図７】
0005575204.tif 000008
【図８】
0005575204.tif 000009
【図９】
0005575204.tif 000010
【図１０】
0005575204.tif 000011
【図１１】
0005575204.tif 000012
【図１２】
0005575204.tif 000013
【図１３】
0005575204.tif 000014